(57)【特許請求の範囲】
【請求項１】
掃除機本体が、電動送風機を内蔵すると共に集塵容器を支持する支持部を有するケースと、該ケースに回動可能に設けられると共に前記集塵容器を前記ケースと協働して挟持するカバー部材とから構成され、
前記集塵容器が、上下方向に延びる把持部を有する筒状容器本体と、該筒状容器本体の底部に開閉可能に設けられた底蓋と、前記筒状容器本体に設けられて前記底蓋をクランプするクランプ部材と、前記把持部の上部に設けられかつ前記クランプ部材に連係されて前記底蓋のクランプを解除するクランプ解除押しボタン部材とから構成され、
前記カバー部材にはその前部にホース接続口が形成され、該ホース接続口は前記クランプ解除押しボタン部材の上方に位置され、前記ホース接続口の直下部には前記クランプ解除押しボタン部材の周囲を包囲しつつ被覆する被覆カバーが設けられ、前記集塵容器が前記ケースと前記カバー部材とで挟持された状態のときに、前記クランプ解除押しボタン部材が前記被覆カバーにより操作不能に被覆されていることを特徴とする電気掃除機。
【発明の詳細な説明】
【０００１】
【発明の属する技術分野】
本発明は、掃除機本体が、電動送風機が内蔵されると共に集塵容器を支持する支持部を有するケースと、このケースに回動可能に設けられると共に集塵容器をケースと協働して挟持するカバー部材とから構成されている電気掃除機の改良に関する。
【０００２】
【従来の技術】
従来から、電気掃除機には、掃除機本体が電動送風機が内蔵されると共に集塵容器を支持する支持部が形成されたケースと、このケースに回動可能に設けられると共に集塵容器をケースと協働して挟持するカバー部材とから構成されたものが知られている。
【０００３】
この従来の電気掃除機では、集塵容器に把持部が設けられ、集塵容器にたまったゴミを取り除くときには、カバー部材を開いて、把持部を握って集塵容器をケースから取り外し、上部に着脱可能に挿着されたフィルター部材を集塵容器から取り外して、ゴミを捨てるようにしている。
【０００４】
【発明が解決しようとする課題】
しかしながら、この従来の電気掃除機では、集塵容器にたまったゴミを捨てるときに、掃除機本体のカバー部材を開いて、把持部を握ってケースから集塵容器を取り外し、次いで、フィルター部材を集塵容器から取り外して集塵容器を逆さまにしてゴミを捨てなければならず、ゴミ捨てが面倒である。
【０００５】
そこで、集塵容器に底蓋を設けると共に、その集塵容器に底蓋を開閉してゴミ捨てを行うことができるようにクランプ部材を設け、このクランプ部材にクランプ解除押しボタン部材を連係させて、クランプ解除押しボタン部材の操作により底蓋を開くことができるようにしてゴミ捨ての容易化を図った電気掃除機が開発されつつあるが、誤ってクランプ解除押しボタン部材を押す可能性が考えられ、意図せずにクランプ解除押しボタン部材が押されると、カバー部材を開ける前にすでに底蓋のクランプが解除された状態となっているため、カバー部材を開けて掃除機本体から集塵容器を取り外す際に、ゴミが不意にこぼれ落ちるおそれがある。
【０００６】
本発明は、上記の事情に鑑みて為されたもので、その目的とするところは、集塵容器の底部に底蓋を設けて、この底蓋の開閉によるゴミ捨ての容易化を図る構成とした場合の不具合を解消することのできる電気掃除機を提供することにある。
【０００７】
【課題を解決するための手段】
請求項１に記載の電気掃除機の発明は、掃除機本体が、電動送風機を内蔵すると共に集塵容器を支持する支持部を有するケースと、該ケースに回動可能に設けられると共に前記集塵容器を前記ケースと協働して挟持するカバー部材とから構成され、前記集塵容器が、上下方向に延びる把持部を有する筒状容器本体と、該筒状容器本体の底部に開閉可能に設けられた底蓋と、前記筒状容器本体に設けられて前記底蓋をクランプするクランプ部材と、前記把持部の上部に設けられかつ前記クランプ部材に連係されて前記底蓋のクランプを解除するクランプ解除押しボタン部材とから構成され、前記カバー部材にはその前部にホース接続口が形成され、該ホース接続口は前記クランプ解除押しボタン部材の上方に位置され、前記ホース接続口の直下部には前記クランプ解除押しボタン部材の周囲を包囲しつつ被覆する被覆カバーが設けられ、前記集塵容器が前記ケースと前記カバー部材とで挟持された状態のときに、前記クランプ解除押しボタン部材が前記被覆カバーにより操作不能に被覆されていることを特徴とする。
【０００８】
本発明によれば、集塵容器の底蓋のクランプを解除するクランプ解除押しボタン部材が掃除機本体のカバー部材により被覆されているので、集塵容器の把持部を握って掃除機本体のカバー部材を開いて集塵容器を掃除機本体から取り外そうとするときに、誤ってクランプ解除押しボタン部材に手が触れて把持部を握って掃除機本体のカバー部材を開くときに底蓋が開いてせっかく集塵したゴミが集塵容器から不意にこぼれ落ちるのを防止できる。
また、クランプ解除押しボタン部材が集塵容器の把持部の上部に設けられているので、集塵容器の把持部を握った状態でクランプ解除押しボタン部材を操作し易い。
【００１１】
【発明の実施の形態】
図１〜図３は本発明に係わる電動掃除機の外観図である。その図１〜図３において、１は掃除機本体である。この掃除機本体１は、ケース２とカバー部材３とから構成されている。カバー部材３はその後部が図２に示すようにヒンジ部材４を介してケース２に回動可能に取り付けられている。そのカバー部材３の前部にはホース接続口５Ａが形成されている。ホース接続口５Ａから後部二股部５Ｂに至る間の途中には掃除機本体１の握持部６が形成されている。握持部６のホース接続口５Ａに近い側には操作部７が設けられると共に、操作部７の横壁にはロック解除ボタン８が設けられている。
【００１２】
そのカバー部材３は図２に示すようにヒンジ部材４を介して後部を支点にして開くことができる。ケース２には電動送風機２Ｂ（図１２参照）が内蔵されると共に、集塵容器９を載置する載置部１０が形成されている。また、ケース２にはその上部にフィルター部材１１が設けられると共に、ロック用係合凹所１２を有する一対の突起部１３が設けられている。カバー部材３を閉じたとき、カバー部材３に設けられている一対のロック爪３Ａがロック用係合凹所１２に係合し、これにより、カバー部材３がケース２にロックされ、ロック解除ボタン８を押すとロック爪３Ａとロック用係合凹所１２との係合が解除されて、カバー部材３を開くことができるようになっている。
【００１３】
そのフィルター部材１１は電動送風機２Ｂの直上方に位置している。そのケース２の側壁には排気口２Ａが形成されている。カバー部材３には連通口１４、１５、１６が形成されている。連通口１４はホース接続口５Ａに連通している。連通口１５と連通口１６とはカバー部材３の内部で連通され、連通口１５の周囲にはパッキン部材１７が設けられ、カバー部材３を閉じたときに連通口１６がフィルター部材１１に対向すると共に、パッキン部材１７によって連通口１６とパッキン部材１７との間がシールされるようになっている。
【００１４】
集塵容器９はその筒状容器本体１８の底部に図４に示すように底蓋１９が設けられ、その前部には把持部２０が設けられている。その筒状容器本体１８の上部にはフィルター挿着部２１が図５に示すように設けられている。そのフィルター挿着部２１には、図３に示すようにフィルターセット部材２２が着脱可能にセットされる。
【００１５】
フィルターセット部材２２は図６、図７に示す下部材２２Ａと図８に示す上部材２２Ｂとから構成され、両部材２２Ａ、２２Ｂ間に図示を略すフィルターが挟着固定される。下部材２２Ａにはその前部にツマミ部２３が形成されると共に、カバー部材３を閉じたときに連通口１４に対向する吸引筒２４が形成されている。その吸引筒２４の下部口部には風向板２５が図７に示すように形成されている。上部材２２Ｂにはツマミ部２６が形成されている。
【００１６】
筒状容器本体１８の後部側の底部には、一対の回動支持壁２７が図５、図９に示すように形成されている。この回動支持壁２７には嵌合凹所２８ａが形成されている。底蓋１９の後部には突起板部２９ａが形成され、突起板部２９ａには嵌合凹所２８ａに回動可能に嵌合支持される嵌合軸部３０ａが形成され、底蓋１９は嵌合軸部３０ａを支点にして回動可能である。
【００１７】
把持部２０は図１０に示すように筒状容器本体１８への挿着部２８を有する。その挿着部２８は中空状とされ、その中空状の挿着部２８の下部にはクランプ機構２９が設けられている。このクランプ機構２９は回動支持壁３０と、回動支持壁３０に回動可能に支持されたシャフト３１と、シャフト３１と一体のクランプ部材３２と、ネジリコイルスプリング３３とを備えている。
【００１８】
ネジリコイルスプリング３３の一端３３ａは図１１に示すように挿着部２８の内壁に当接され、ネジリコイルスプリング３３の他端３２ｂはクランプ部材３２に当接され、クランプ部材３２はネジリコイルスプリング３３によってシャフト３１を支点にして回動可能にかつクランプ方向（矢印Ｚ方向）に付勢されている。
【００１９】
そのクランプ部材３２は図１１、図１２に示すように底蓋１９の前部に形成されたかぎ爪１９ａと係合するクランプ爪３２ａと後述するクランプ解除バーが係合する係合当接部３２ｂとから構成されている。
【００２０】
把持部２０の上部には図３〜図５に示すようにクランプ解除ボタン３４が設けられている。このクランプ解除押しボタン部材３４は図４に示すコイルスプリング３５により把持部２０から上方に突出する方向に付勢されている。そのクランプ解除押しボタン部材３４はその基部３４ａが把持部２０の上部内壁に当接することによりその突出量が規定されている。その基部３４ａにクランプ解除バー３６の一端部３６ａが取り付けられ、その他端部３６ｂは係合当接部３２ｂに当接可能に臨んでいる。挿着部２８の内部には、一対のガイド突起２８ｙが図１０に示すように設けられると共に、図４に示すように、一対のガイド突起２８ｚ、２８ｚが上下方向に間隔を開けて設けられている。これにより、クランプ解除バー３６が上下方向にスムーズに案内されるようになっている。
【００２１】
カバー部材３にはそのホース接続口５Ａの直下部にクランプ解除押しボタン部材３４の周囲を包囲しつつ被覆する被覆カバー３７が形成され、そのクランプ解除押しボタン部材３４は、ケース２とカバー部材３とによって集塵容器９を挟持固定した状態で、その被覆カバー３７によって被覆される。従って、ホースの着脱時にゴミがクランプ解除押しボタン部材３４の周囲に落ちて付着することがなく、クランプ解除押しボタン部材３４と把持部２０の開口３４Ａとの間の隙間に詰まって、クランプ解除押しボタン部材３４が動かなくなるということを確実に防止できる。
【００２２】
図１に示す状態で、図示を略す吸引ホースをホース接続口５Ａに接続し、空気を吸い込みを始めると、ホース接続口５Ａ、連通口１４、吸引筒２４にゴミと共に吸引空気が導かれ、吸引筒２４に設けた風向板２５によって筒状容器本体１８の内周壁に沿って周回り方向の渦巻き風（サイクロン風）となって図１２に示すように集塵容器９に導かれ、集塵容器９内で減速されつつ中心部に向かい、中心部に設けられたフィルターを通って連通口１５に導かれ、その連通口１５、１６を経由してフィルター部材１１に導かれ、ケース２内を通って排気口２Ａから排出される。
【００２３】
その集塵容器９に導かれた吸引空気内のゴミのうち重量の大きなものは、集塵容器９内で吸引空気が減速される際に落下して集塵容器９内に溜まり、重量の軽い細かなゴミは集塵容器９の上部に設置のフィルター、ケース２の上部に設置のフィルター部材１１で除去される。
【００２４】
集塵容器９内に溜まったゴミを捨てるときには、カバー部材３を開けて把持部２０を握って、ケース２から集塵容器９を取り外し、クランプ解除押しボタン部材３４を押下すると、図１３（ａ）に矢印Ａで示すようにクランプ解除バー３６の他端部３６ｂが係合当接部３２ｂに向かって下降し、図１３（ｂ）に示すように、係合当接部３２ｂにクランプ解除バー３６の他端部３６ｂが当接すると、クランプ部材３２がネジリコイルスプリング３３のクランプ方向の付勢力に抗して、シャフト３１を支点にしてクランプ方向と反対方向に回動され、かぎ爪１９ａとクランプ爪３２ａとの係合が解除され、更に、クランプ解除バー３６が下降すると、図１３（ｃ）に示すように、係合当接部３２がかぎ爪１９ａの頭部に当接し、図１３（ｄ）に示すように底蓋１９が押されて開き、図１１に示すように、底蓋１９が全開状態となり、集塵容器９内のゴミが落下するので、図示を略すゴミ収集袋等に捨てることができる。
【００２５】
一方、底蓋１９を開けると、クランプ部材３２はネジリコイルスプリング３３によってクランプ方向に復帰する。底蓋１９を閉じるときには、かぎ爪１９ａの頭部がクランプ爪３２のテーパー面３２ｃに押され、これにより、クランプ解除方向にクランプ部材３２が回動され、かぎ爪１９ａの頭部がクランプ爪３２ａを通り越した時点でかぎ爪１９ａの頭部によるクランプ爪３２ａの押圧が解除されるので、クランプ爪３２ａがネジリコイルスプリング３３の付勢力によりクランプ方向に回動され、再び底蓋１９がクランプされる。
【００２６】
また、掃除中にクランプ解除押しボタン部材３４が押されないようにするのに別部材を用いているので構成が簡単である。
【００２７】
なお、底蓋１９にはシール用パッキン３８が設けられ、底蓋１９を閉じると、その底部がシール用パッキン３８によりシールされる。
【００２８】
【発明の効果】
本発明によれば、集塵容器の底蓋のクランプを解除するクランプ解除押しボタン部材が掃除機本体のカバー部材により被覆されているので、集塵容器の把持部を握って掃除機本体のカバー部材を開いて集塵容器を掃除機本体から取り外そうとするときに、誤ってクランプ解除押しボタン部材に手が触れて把持部を握って掃除機本体のカバー部材を開くときに底蓋が開いてせっかく集塵したゴミが集塵容器から不意にこぼれ落ちるのを防止できる。
また、クランプ解除押しボタン部材が集塵容器の把持部の上部に設けられているので、集塵容器の把持部を握った状態でクランプ解除押しボタン部材を操作し易い。
【図面の簡単な説明】
【図１】  本発明の掃除機を示す外観図で、カバー部材を閉じた状態を示す図である。
【図２】  本発明の掃除機を示す外観図で、カバー部材を開いて集塵容器を取り外した状態を示す図である。
【図３】  本発明の掃除機を示す外観図で、カバー部材を開いて集塵容器をケースにセットした状態を示す図である。
【図４】  集塵容器の概略構成を示す断面図である。
【図５】  集塵容器を上面側から見た概略構成を示す図である。
【図６】  図３に示すフィルターセット部材の下部材を示す外観図である。
【図７】  図６に示す下部材の平面図である。
【図８】  図８に示す上部材の平面図である。
【図９】  図３に示す集塵容器を後部側から見た図である。
【図１０】  図３に示す集塵容器の一部を破断して前面側から見た図である。
【図１１】  図４に示す集塵容器の底蓋を開けた状態を示す図である。
【図１２】  本発明の掃除機の吸引空気の流れを示す説明図である。
【図１３】  本発明のクランプ機構の作用を説明するための説明図であり、（ａ）はクランプ解除押しボタンを押す前の状態を示し、（ｂ）はクランプ解除押しボタンの押下によりクランプ解除バーの他端部の下端がクランプ部材の係合当接部に当接した状態を示し、（ｃ）はクランプ部材が底蓋に形成のかぎ爪に当接してかぎ爪を押下している状態を示し、（ｄ）はクランプ部材とかぎ爪との係合が解除されて、底蓋が開いた状態を示している。
【符号の説明】
１…掃除機本体
２…ケース
３…カバー部材
９…集塵容器
１８…筒状容器本体
１９…底蓋
２０…把持部
３２…クランプ部材
３４…クランプ解除押しボタン部材
【図１】
0003656835.tif 000002
【図２】
0003656835.tif 000003
【図３】
0003656835.tif 000004
【図４】
0003656835.tif 000005
【図５】
0003656835.tif 000006
【図６】
0003656835.tif 000007
【図７】
0003656835.tif 000008
【図８】
0003656835.tif 000009
【図９】
0003656835.tif 000010
【図１０】
0003656835.tif 000011
【図１１】
0003656835.tif 000012
【図１２】
0003656835.tif 000013
【図１３】
0003656835.tif 000014